(57)【要約】【課題】レーザ光によって画像を描画される被走査部材を容易に予め定められた曲率で湾曲させて保持することができる画像表示装置を提供する。【解決手段】画像に対応するレーザ光を照射するレーザ光源と、前記レーザ光源が照射するレーザ光を偏向する光偏向器と、前記光偏向器が偏向したレーザ光によって描画される画像を予め定められた発散角で発散させる被走査部材と、前記被走査部材を収容する湾曲した収容空間を形成する収容部と、を有し、前記収容部は、前記収容空間内に前記被走査部材を収容することにより、前記被走査部材を予め定められた曲率に湾曲させることを特徴とする。【選択図】図５−１
2017219799.tif 000002
【特許請求の範囲】
【請求項１】
画像に対応するレーザ光を照射するレーザ光源と、
前記レーザ光源が照射するレーザ光を偏向する光偏向器と、
前記光偏向器が偏向したレーザ光によって描画される画像を予め定められた発散角で発散させる被走査部材と、
前記被走査部材を収容する湾曲した収容空間を形成する収容部と、
を有し、
前記収容部は、
前記収容空間内に前記被走査部材を収容することにより、前記被走査部材を予め定められた曲率に湾曲させること
を特徴とする画像表示装置。
【請求項２】
前記収容部は、
前記被走査部材を表面から保持する第１保持部と、
前記被走査部材を裏面から保持する第２保持部と、
を有することを特徴とする請求項１に記載の画像表示装置。
【請求項３】
前記第１保持部及び前記第２保持部の少なくともいずれかは、
前記被走査部材に接触する接触部を有すること
を特徴とする請求項２に記載の画像表示装置。
【請求項４】
前記収容部は、
前記被走査部材よりも高剛性であること
を特徴とする請求項１乃至３のいずれか１項に記載の画像表示装置。
【請求項５】
前記収容部は、
前記被走査部材よりも線膨張率が小さいこと
を特徴とする請求項４に記載の画像表示装置。
【請求項６】
前記被走査部材は、
マイクロレンズアレイであること
を特徴とする請求項１乃至５のいずれか１項に記載の画像表示装置。
【請求項７】
前記光偏向器は、
２軸ＭＥＭＳミラーを有すること
を特徴とする請求項１乃至６のいずれか１項に記載の画像表示装置。
【請求項８】
前記レーザ光源は、
波長が異なる複数のレーザ光を照射し、
前記レーザ光源が照射した複数のレーザ光の光路を１つに合成する光路合成部材をさらに有すること
を特徴とする請求項１乃至７のいずれか１項に記載の画像表示装置。
【請求項９】
前記光偏向器が前記被走査部材に走査した画像領域を拡大させる拡大光学系をさらに有すること
を特徴とする請求項１乃至８のいずれか１項に記載の画像表示装置。
【請求項１０】
前記拡大光学系が拡大させた画像領域のレーザ光の一部を透過させ、残部の少なくとも一部を反射させる透過反射部材をさらに有すること
を特徴とする請求項９に記載の画像表示装置。
【発明の詳細な説明】
【技術分野】
【０００１】
本発明は、画像表示装置に関する。
【背景技術】
【０００２】
車両の運転者が少ない視線移動で警報・情報を認知できるアプリケーションとして、車載のＨｕＤ（ヘッドアップディスプレイ）が知られている。ＨｕＤには、液晶及びＤＭＤのようなイメージングデバイスで中間像を表現する「パネル方式」と、レーザダイオードから射出したレーザビームを２次元走査デバイスで走査して中間像を形成する「レーザ走査方式」がある。
【０００３】
従来は、ＨｕＤにおける２次元像（中間像）を描画される例えばマイクロレンズアレイは、製造上の問題から平坦スクリーン形状で製作されていた。ＨｕＤに平坦スクリーンが用いられると、平坦スクリーンから出射して凹面ミラーに入射される光の光路長がばらついてしまう。この結果、像面湾曲が大きくなる。
【０００４】
一方、マイクロレンズアレイを湾曲スクリーン形状とすると、凹面ミラーに入射される光の光路長のばらつきが小さくなる。この結果、像面湾曲を小さくすることができる。従来、湾曲スクリーン形状を成形することが難しかったが、現在長手方向の湾曲形状は、成形可能となっている。
【０００５】
また、特許文献１には、凹面鏡やウインドシールドの曲面の影響で生じる虚像の像面湾曲を補正するように、フレキシブル表示デバイスを湾曲させた状態で保持し固定し、湾曲させた表示デバイスの光路の前方に、他の光学補正部材を配置した車両用投影表示装置が開示されている。
【発明の概要】
【発明が解決しようとする課題】
【０００６】
しかしながら、従来は、マイクロレンズアレイなどの被走査面を所望の湾曲形状に成形することは困難であった。また、フレキシブル表示デバイスでは、表示装置と保持部材を充填剤で固定すると、動作環境が変動した場合に、剥がれたり変形して画像不具合が発生する等の問題があった。
【０００７】
本発明は、上記に鑑みてなされたものであって、レーザ光によって画像を描画される被走査部材を容易に予め定められた曲率で湾曲させて保持することができる画像表示装置を提供することを目的とする。
【課題を解決するための手段】
【０００８】
上述した課題を解決し、目的を達成するために、本発明は、画像に対応するレーザ光を照射するレーザ光源と、前記レーザ光源が照射するレーザ光を偏向する光偏向器と、前記光偏向器が偏向したレーザ光によって描画される画像を予め定められた発散角で発散させる被走査部材と、前記被走査部材を収容する湾曲した収容空間を形成する収容部と、を有し、前記収容部は、前記収容空間内に前記被走査部材を収容することにより、前記被走査部材を予め定められた曲率に湾曲させることを特徴とする。
【発明の効果】
【０００９】
本発明によれば、レーザ光によって画像を描画される被走査部材を容易に予め定められた曲率で湾曲させて保持することができるという効果を奏する。
【図面の簡単な説明】
【００１０】
【図１】図１は、実施形態にかかる画像表示装置の概要を示す図である。
【図２】図２は、イメージャ（画像形成部）の詳細を示す図である。
【図３】図３は、光源部の構成を示す図である。
【図４】図４は、スクリーンと光束の方向とを示す図である。
【図５−１】図５−１は、スクリーン及びその周辺の第１実施例を示す図である。
【図５−２】図５−２は、スクリーン及びその周辺の第１実施例を示す図である。
【図６−１】図６−１は、スクリーン及びその周辺の第２実施例を示す図である。
【図６−２】図６−２は、スクリーン及びその周辺の第２実施例を示す図である。
【図７】図７は、図６に示した第２実施例における湾曲スクリーンが収容空間に収容された状態を示すＺ線の断面図である。
【図８】図８は、スクリーン及びその周辺の第３実施例を示す図である。
【図９】図９は、湾曲スクリーンと第２保持部の大きさ、配置を相対的に示す図である。
【図１０−１】図１０−１は、スクリーン及びその周辺の第４実施例を示す図である。
【図１０−２】図１０−２は、スクリーン及びその周辺の第４実施例を示す図である。
【図１０−３】図１０−３は、スクリーン及びその周辺の第４実施例を示す図である。
【発明を実施するための形態】
【００１１】
以下に添付図面を参照して、画像表示装置の実施形態について説明する。図１は、実施形態にかかる画像表示装置１の概要を示す図である。画像表示装置１は、例えばＨｕＤ（ヘッドアップディスプレイ）であり、車両、航空機、船舶等の移動体に搭載される。
【００１２】
画像表示装置１は、光源部（レーザ光源）１０、光偏向器１１、走査ミラー１２、スクリーン（被走査部材）１３、凹面ミラー１４、及び透過反射部材１５を有する。なお、透過反射部材１５は、例えば車両のフロントガラスであり、光が照射されることにより、観察者の視点から虚像を視認可能にする。例えば、画像表示装置１は、車両のフロントガラス（フロントウインドシールド：透過反射部材１５）を介して当該車両の運転に必要なナビゲーション情報（例えば速度、走行距離等の情報）等を視認可能にする。この場合、フロントガラスは、入射された光の一部を透過させ、残部の少なくとも一部を反射させる。以下では、画像表示装置１がフロントガラスを備える車両（自動車）に搭載される場合を例に説明する。
【００１３】
光源部１０は、Ｒ，Ｇ，Ｂの３色の画像に対応するレーザ光を合成して照射する。ここで、３色の混合レーザ光は、光偏向器１１の反射面に向かって導かれる。光偏向器１１は、後述するように半導体プロセス等で作製されたＭＥＭＳであり、直交する２軸に対して揺動する単一の微小なミラーを有する。光偏向器１１は、１軸に揺動／回動するミラー２つから成るミラー系であってもよい。光偏向器１１は、光源部１０が照射する３色の混合レーザ光の光束を偏向させる。光偏向器１１が偏向させた混合レーザ光は、走査ミラー１２により折り返され、スクリーン１３に２次元像（中間像）を描画する。
【００１４】
スクリーン１３は、レーザ光を予め定められた発散角で発散させる機能を有しており、例えば後述するようにマイクロレンズアレイ構造となっている。ここで、スクリーン１３は、湾曲スクリーン（湾曲構造部）にされている。スクリーン１３を介して射出された光束は、単一の凹面ミラー１４及び透過反射部材１５によって拡大表示された虚像となる。つまり、画像表示装置１は、光偏向器１１がスクリーン１３に走査した画像領域を拡大させる拡大光学系を備えている。なお、光源部１０、光偏向器１１、走査ミラー１２及びスクリーン１３を有する部分をイメージャ（画像形成部）と記すことがある。
【００１５】
凹面ミラー１４は、透過反射部材１５の影響で中間像の水平線が上または下に凸形状となる光学歪み要素を補正するように設計・配置されている。なお、画像表示装置１は、透過反射部材１５と同じ機能（部分反射）を持つ別途の部分反射鏡（コンバイナ）を有した構成であってもよい。
【００１６】
なお、観察者（例えば移動体を操縦する操縦者）は、透過反射部材１５によって反射されたレーザ光の光路上のアイボックス１９（観察者の目の近傍の領域）から拡大虚像Ｉを視認する。ここで、アイボックス１９は、視点の位置の調整をすることなく拡大虚像Ｉが視認可能な範囲を意味する。具体的には、アイボックス１９は、自動車の運転者アイレンジ（ＪＩＳ  Ｄ００２１）と同等かそれ以下である。この反射光により、観察者は拡大虚像Ｉを視認できる。
【００１７】
次に、図２及び図３を用いて、イメージャ（画像形成部）の詳細について説明する。図２は、イメージャ（画像形成部）の詳細を示す図である。図３は、光源部１０の構成を示す図である。光源部１０は、カラー画像表示用の画素表示用ビームＬＣを出射する。画素表示用ビームＬＣは、赤（以下「Ｒ」と表示する。）、緑（以下「Ｇ」と表示する。）、青（以下「Ｂ」と表示する。）の３色のビームを１本に合成したビームである。
【００１８】
図３に示すように、光源部１０は、例えばＲのレーザ光を照射するレーザダイオード１０１ｒ、Ｇのレーザ光を照射するレーザダイオード（半導体レーザ）１０１ｇ、Ｂのレーザ光を照射するレーザダイオード１０１ｂを有する。
【００１９】
カップリングレンズ１０２ｒ、１０２ｇ、１０２ｂは、レーザダイオード１０１ｒ、１０１ｇ、１０１ｂが照射するレーザ光の発散性を抑制する。カップリングレンズ１０２ｒ、１０２ｇ、１０２ｂにより発散性を抑制された各色レーザ光束は、アパーチァ１０３ｒ、１０３ｇ、１０３ｂにより整形される（光束径が規制される）。
【００２０】
整形された各色レーザ光束は、ビーム合成プリズム（光路合成部材）１０４に入射される。ビーム合成プリズム１０４は、Ｒ色光を透過させＧ色光を反射するダイクロイック膜１０５と、Ｒ・Ｇ色光を透過させＢ色光を反射するダイクロイック膜１０６を有する。従って、ビーム合成プリズム１０４からは、Ｒ、Ｇ、Ｂの各色レーザ光束が１本の光束に合成されて出射される。出射される光束は、レンズ１０７により所定の光束径の「平行ビーム」に変換される。この「平行ビーム」が、画素表示用ビームＬＣである。
【００２１】
画素表示用ビームＬＣを構成するＲ、Ｇ、Ｂの各色レーザ光束は、表示するべき「２次元のカラー画像」の画像信号により（画像データに応じて）強度変調されている。強度変調は、半導体レーザを直接変調する直接変調方式であってもよいし、レーザダイオードから出射されたレーザ光束を変調する外部変調方式であってもよい。そして、レーザダイオード１０１ｒ、１０１ｇ、１０１ｂは、Ｒ、Ｇ、Ｂの各色成分の画像信号により発光強度を変調される。
【００２２】
図２に示したように、光源部１０から照射された画素表示用ビームＬＣは、光偏向器１１に入射され、２次元方向に偏向される。光偏向器１１は、例えば微小なミラーを「互いに直交する２軸」を揺動軸として揺動するように構成されたものである。すなわち、光偏向器１１は具体的には、半導体プロセス等で微小揺動ミラー素子として作製されたＭＥＭＳ（Ｍｉｃｒｏ  Ｅｌｅｃｔｒｏ  Ｍｅｃｈａｎｉｃａｌ  Ｓｙｓｔｅｍｓ）ミラーを含む２次元スキャナである。
【００２３】
光偏向器１１は、この例に限らず、例えば、１軸の回りに揺動する微小ミラー（例えばＭＥＭＳミラーやガルバノミラー）を２個、揺動方向が互いに直交するように組み合わせられたものでもよい。２次元方向に偏向された画素表示用ビームＬＣは、走査ミラー１２に入射され、スクリーン１３に向けて反射される。
【００２４】
スクリーン１３は、図４に示したように、ａ方向を長手方向とする矩形板状の部材であり、長手方向（ａ方向）に予め定められた曲率で湾曲させられる。スクリーン１３は、「透過型」である。スクリーン１３については、後に詳述する。
【００２５】
走査ミラー１２は、スクリーン１３上で発生する走査線（走査軌跡）の曲がりを補正するように設計されている。走査ミラー１２により反射された画素表示用ビームＬＣは、光偏向器１１による偏向に伴い平行移動しつつスクリーン１３に入射され、該スクリーン１３を２次元方向に走査する。つまり、スクリーン１３は、画素表示用ビームＬＣにより主走査方向及び副走査方向に２次元走査（例えばラスタースキャン）される。この２次元走査により、スクリーン１３に中間像としての「カラー画像」が形成される。
【００２６】
ここでは、スクリーン１３における矩形を長手方向に湾曲させた形状の有効走査領域（有効画像領域とも呼ぶ）が２次元走査され、該有効走査領域に中間像が形成される（図４参照）。もちろん、スクリーン１３に各瞬間に表示されるのは「画素表示用ビームＬＣが、その瞬間に照射している画素のみ」である。
【００２７】
カラーの２次元画像は、画素表示用ビームＬＣによる２次元方向の走査により「各瞬間に表示される画素の集合」として形成される。スクリーン１３には、「カラー画像」が形成され、該カラー画像を形成した画素表示用ビームＬＣ、すなわちスクリーン１３を透過した光が凹面ミラー１４に入射されて反射される。
【００２８】
凹面ミラー１４は、「虚像結像光学系」を構成する。凹面ミラー１４は、水平面に対して傾斜し、湾曲した透過反射部材１５の影響でスクリーン１３に形成された「カラー画像」（中間像）の虚像における水平線（横線）が縦に凸形状となる２次元方向の歪み及び垂直線（縦線）が横に凸形状となる２次元方向の歪みを補正するように設計、配置されている。
【００２９】
「虚像結像光学系」は、「カラー画像」の拡大虚像Ｉを結像させる。以下、拡大虚像Ｉを単に「虚像」とも記す。また、図４に示したａ方向は、観察者にとって左右方向であり、この方向を「横方向」とも呼ぶ。そして、横方向（ａ方向）に直交する方向を「縦方向」とも呼ぶ。スクリーン１３は、全体として凹面ミラー１４側に凸の湾曲構造を有している。ここでは、スクリーン１３は、ａ方向（Ｘ方向）、すなわち横方向にのみ予め定められた曲率で湾曲している。
【００３０】
次に、スクリーン１３を予め定められた曲率に湾曲させて保持するための構成について説明する。図５−１、５−２は、スクリーン１３及びその周辺の第１実施例を示す図である。第１実施例では、スクリーン１３は、平面スクリーン２２が、第１保持部（ホルダ）２１及び第２保持部（ホルダ）２３によって予め定められた曲率に湾曲させられつつ保持されることによって構成される。
【００３１】
平面スクリーン２２は、薄いシート状に作られた平板状のマイクロレンズアレイである。平面スクリーン２２は、第１保持部２１と第２保持部２３とが合わせられることによって形成される収容空間内に収容され、第１保持部２１と第２保持部２３とに挟まれることによって予め定められた曲率に湾曲させられて保持される。
【００３２】
平面スクリーン２２は、保持される前には曲率を持たない平板であり、第１保持部２１と第２保持部２３が構成する収容部に挟まれることによって、第１保持部２１の基準面２１２と、第２保持部２３の基準面２３０にそれぞれ接触する。
【００３３】
基準面２３０及び基準面２１２は、Ｘ方向にのみ曲率をもち、基準面２３０の曲率ｒ１と基準面２１２の曲率ｒ２には、ｒ２＞ｒ１の関係が成り立っている。基準面２３０と基準面２１２とによって形成される空間は、平面スクリーン２２を収容する収容空間であり、基準面２３０及び基準面２１２のＸ方向全域にわたる範囲で均一であることが望ましい。また、少なくとも、平面スクリーン２２が基準面２３０又は基準面２１２に接触する位置の近傍では、収容空間の幅（隙間）が略均一になるように設定されることが好ましい。
【００３４】
基準面２３０及び基準面２１２が形成する収容空間は、Ｘ方向、Ｙ方向には十分な隙間を持つが、光軸方向にはほぼ隙間がないように設定される。また、第１保持部２１及び第２保持部２３の材質は、平面スクリーン２２よりも剛性が高い材質であり、平面スクリーン２２が元に戻る（平面状に戻る）力に打ち勝てるようにされている。また、第１保持部２１及び第２保持部２３は、光を反射、拡散し難くするために黒い材料で、艶消しの表面性状が好ましい。
【００３５】
第１保持部２１は、側面より突出した樹脂フック２１０ａ、２１０ｂが、第２保持部２３に設けられた穴部２３２ａ、２３２ｂに引っ掛けられることにより、第１保持部２１と第２保持部２３とが一体化され、同時に平面スクリーン２２が押圧固定される。
【００３６】
ここで、Ｘ、Ｙ方向には比較的大きな隙間が形成されるが、平面スクリーン２２の厚み方向には隙間がほとんどないので、平面スクリーン２２が移動することがなく、環境変動による平面スクリーン２２の膨張（伸び）に対しては余裕があるので、変形やうねりなどの不具合が防止される。ここでは、樹脂フック２１０ａ、２１０ｂによって締結する場合を説明したが、第１保持部２１及び第２保持部２３は、ネジ固定、接着剤、粘着剤等の別の手段で固定されてもよい。
【００３７】
図６−１、６−２は、スクリーン１３及びその周辺の第２実施例を示す図である。第２実施例では、スクリーン１３は、湾曲スクリーン２２ａが、第１保持部２１及び第２保持部２３によって予め定められた曲率に湾曲させられつつ保持されることによって構成される。湾曲スクリーン２２ａは、インジェクション成形やキャスティング成形などで製作される。
【００３８】
これらの成形品は、樹脂の流動性などの問題から、ある程度の厚さ（約０．５ｍｍ以上）が必要になる。平面形状の部材は、比較的容易に成形できるが、湾曲形状の曲率を精度よく製造することは難しい。湾曲スクリーン２２ａは、長辺が例えば１００ｍｍ以下であり、短辺が５０ｍｍ以下である。このため、長手のＸ方向は比較的曲げやすいが、短手のＹ方向では曲げ量が弾性範囲を超えることもあり、亀裂が入ったり、欠けたり、破断してしまいやすい。
【００３９】
そのため、湾曲スクリーン２２ａは、所望の状態に近い湾曲の状態に成形して、長辺が弾性変形範囲内で変形できるようにしておき、短辺は変形させないようにされている。第１実施例と同様に、湾曲スクリーン２２ａの理想形状は、入射面側（表側）が基準面２３０によって形成され、照射面側（裏側）が基準面２１２によって形成される。
【００４０】
そして、第１保持部２１と第２保持部２３の間に湾曲スクリーン２２ａが設置され、樹脂フック２１０ａ、２１０ｂが穴部２３２ａ、２３２ｂに掛かけられることにより、湾曲スクリーン２２ａは、押圧され、基準面２３０及び基準面２１２に倣うようになる。
【００４１】
ここで、第１保持部２１及び第２保持部２３は、湾曲スクリーン２２ａよりも剛性があり、押圧時に基準面２３０及び基準面２１２が変形しないようにされている。樹脂フック２１０ａ、２１０ｂが穴部２３２ａ、２３２ｂに嵌合されると、湾曲スクリーン２２ａは、支持固定される。第１保持部２１及び第２保持部２３が形成する収容空間と湾曲スクリーン２２ａとの間には、第１実施例の場合と同様に、Ｘ方向、Ｙ方向には隙間を有するが、光軸方向の隙間はほとんど無いように設定されている。
【００４２】
図７は、図６に示した第２実施例における湾曲スクリーン２２ａが収容空間に収容された状態を示すＺ線の断面図である。湾曲スクリーン２２ａは、第１保持部２１及び第２保持部２３によって押圧されて変形して支持されている。なお、第２保持部２３は、光源ユニット筐体や、本体筐体等に固定される。
【００４３】
図８は、スクリーン１３及びその周辺の第３実施例を示す図である。第３実施例では、スクリーン１３は、湾曲スクリーン２２ａが、第１保持部２１及び第２保持部２３ａによって予め定められた曲率に湾曲させられつつ保持されることによって構成される。
【００４４】
第２保持部２３ａは、基準面２３０ａの開口部２３５の周囲に突起（接触部）２３４ａ〜２３４ｃが設けられており、突起２３４ａ〜２３４ｃが湾曲スクリーン２２ａに接触するようにされている。突起２３４ａ〜２３４ｃは、ここでは３箇所設けられているが、数は限定されない。突起２３４ａ〜２３４ｃの高さは、湾曲スクリーン２２ａが押圧され、第１保持部２１の基準面２１２に湾曲スクリーン２２ａが倣うような高さに設定されている。一方、基準面２３０ａはラフな精度でもよいが、湾曲スクリーン２２ａが大きく逃げない（変形できない）ようにされている。また、突起２３４ａ〜２３４ｃは、第１保持部２１に設けられていてもよい。
【００４５】
図９は、湾曲スクリーン２２ａと第２保持部２３ａの大きさ、配置を相対的に示す図である。図９においては、図８に示したＡの方向から第２保持部２３ａ等を見た状態が示されている。第２保持部２３ａの開口部２３５のＸ方向長さをＥ、湾曲スクリーン２２ａが押圧されて基準面２１２に倣った状態のＸ方向寸法をＦ、第１保持部２１の基準面２１２のＸ方向寸法Ｇとすると、レーザ光束が必ず湾曲スクリーン２２ａを透過するようにＦ＞Ｅとされ、熱膨張により湾曲スクリーン２２ａがＸ方向に延びても第１保持部２１内に収まるようにＧ＞Ｆになるように設定されている。
【００４６】
同様に、第２保持部２３ａの開口部２３５のＹ方向長さをＤ、湾曲スクリーン２２ａが押圧されて基準面２１２に倣った状態のＹ方向寸法をＣ、第１保持部２１の基準面２１２のＹ方向寸法をＢとすると、レーザ光束が必ず湾曲スクリーン２２ａを透過するようにＣ＞Ｄとされ、熱膨張により湾曲スクリーン２２ａがＹ方向に延びても第１保持部２１内に収まるようにＢ＞Ｃになるように設定されている。
【００４７】
突起２３４ａ〜２３４ｃは、湾曲スクリーン２２ａが左右均等に押圧されるように突起２３４ａから突起２３４ｂ、２３４ｃへのＸ方向距離が略均等になるように配置されている。また、Ｙ方向については、開口部２３５の外側で、湾曲スクリーン２２ａの外形より内側に配置されている。このように設定されると、環境変動で湾曲スクリーン２２ａが伸びても第１保持部２１、第２保持部２３ａ間で支持された状態で伸びを吸収できるため、画像に影響を与えるようなことはない。
【００４８】
図１０−１〜１０−３は、スクリーン１３及びその周辺の第４実施例を示す図である。第４実施例では、スクリーン１３は、保持部材（収容部）２４に形成された収容空間２４０に湾曲スクリーン２２ａが収容されることにより、予め定められた曲率に湾曲させられつつ保持されることによって構成される。
【００４９】
図１０−１において、保持部材２４に短手方向（Ｙ方向）から湾曲スクリーン２２ａが挿入されるように、収容空間（スリット）２４０が設けられている。収容空間２４０の開口幅は、湾曲スクリーン２２ａの厚さよりも広くされており、突起２４２ａのみが湾曲スクリーン２２ａの厚さとほぼ同等な隙間を作っている。
【００５０】
保持部材２４と湾曲スクリーン２２ａとが接触する面は、理想的な湾曲スクリーン２２ａ形状と同等になるように成形されている。ここでは突起２４２ａを１箇所で記載しているが、平面スクリーン２２や湾曲スクリーン２２ａが基準面に倣わないような場合は複数箇所設けられてもよい。湾曲スクリーン２２ａは、保持部材２４に対して湾曲させられた状態で挿入される。
【００５１】
図１０−２は、湾曲スクリーン２２ａが保持部材２４に挿入される状態を図１０−１のＨの方向から見た図である。図１０−２においては、湾曲スクリーン２２ａは突起２４２ａ〜２４２ｃで基準面２４６に押し付けられるように、基準面２４６と突起２４２ａ〜２４２ｃの隙間が調整されている。基準面２４６が湾曲スクリーン２２ａの照射面側の理想的曲面形状となるように成形されると、湾曲スクリーン２２ａが基準面２４６に倣って理想的形状に近づく。押圧力が不足するようであれば突起２４２の数を増やし、多点で押圧できるようにされてもよい。
【００５２】
図１０−３は、保持部材２４を底面（収容空間２４０の挿入口の逆面）から見た平面図である。挿入面に対向する面には、例えば複数箇所開口部が設けられている。例えば突起２４７ａ、２４７ｂに相当する位置に開口部２４８ａ、２４８ｂが設けられる。この開口部２４８ａ、２４８ｂに金型が入ってきて、湾曲スクリーン２２ａの押圧力が適正になるように、基準面２４６と突起２４７ａ、２４７ｂが作る隙間が調整されている。よって、金型構造が簡単になり、歩留まりを向上させることができる。湾曲スクリーン２２ａは、突起２４７ａ、２４７ｂ等と基準面２４６に挟まれた格好で支持され、基準面２４６に倣うことになる。開口部２４８ａ、２４８ｂなどからの塵芥が入ることを避けたい場合は、シール部材で塞ぐようにされてもよい。
【符号の説明】
【００５３】
１        画像表示装置
１０      光源部
１１      光偏向器
１２      走査ミラー
１３      スクリーン
１４      凹面ミラー
１５      透過反射部材
２１      第１保持部
２２      平面スクリーン
２２ａ    湾曲スクリーン
２３、２３ａ      第２保持部
２４      保持部材
２１２    基準面
２３０、２３０ａ    基準面
２３４ａ〜２３４ｃ    突起
２４０    収容空間
【先行技術文献】
【特許文献】
【００５４】
【特許文献１】特開２０１５−２３０３２９号公報
【図１】
2017219799.tif 000003
【図２】
2017219799.tif 000004
【図３】
2017219799.tif 000005
【図４】
2017219799.tif 000006
【図５−１】
2017219799.tif 000007
【図５−２】
2017219799.tif 000008
【図６−１】
2017219799.tif 000009
【図６−２】
2017219799.tif 000010
【図７】
2017219799.tif 000011
【図８】
2017219799.tif 000012
【図９】
2017219799.tif 000013
【図１０−１】
2017219799.tif 000014
【図１０−２】
2017219799.tif 000015
【図１０−３】
2017219799.tif 000016